(57)【要約】      （修正有）【課題】固形の食品及び飲料の入っている容器を安全かつ快適に片手で運ぶことができる使い捨ての容器保持具を提供する。【解決手段】中央部１および２つの側方部２および３を有している「Ｔ」型の平らな型板から構成されている容器保持具であり、中央部は、２つの縦の屈曲線４および２つの端部片６を有している。２つの縦の屈曲線４は、中間部位５の境界を定めており、２つの縦の屈曲線に沿って、開口７および８が、運ばれる複数の容器の輪郭と類似の輪郭を有して作られている。２つの端部片６は、同等であり、かつ中間部位より幅が狭い。側方部２および３は、容器の挿入方向と反対の方向に突き出して、対向する位置にあり、中央部の開口８と一列に並べられている。【選択図】図１
0003205909.tif 000002
【実用新案登録請求の範囲】
【請求項１】
容器保持具であって、
当該容器保持具は、中央部（１）および２つの側方部（２および３）を有している「Ｔ」型の平らな型板から構成されており、
当該中央部（１）は、２つの縦の屈曲線（４）および２つの端部片（６）を与えており、当該２つの縦の屈曲線（４）は、中間部位（５）の境界を定めており、当該２つの縦の屈曲線（４）に沿って、２つの開口（７および８）が、運ばれる複数の容器の輪郭と類似の輪郭を有して作られており、当該２つの端部片（６）は、等しく、かつ上記中間部位より幅が狭く、
上記側方部（２および３）は、上記中央部（１）に対して反対の方向に突き出して、対向する位置にあり、上記中央部の１つの開口（８）と一列に並べられていることを特徴とする、容器保持具。
【請求項２】
上記中間部位（５）が、２つの開口（７および８）を有しており、一方の開口（７）が四角の輪郭を有しており、他方の開口（８）が略円形の輪郭を有していることを特徴とする、請求項１に記載の容器保持具。
【請求項３】
上記側方部（２および３）が、上記中央部（１）から同じ距離に配置されている２つの等しい窓（１０）を、それらの端部付近に有していることを特徴とする、請求項１に記載の容器保持具。
【考案の詳細な説明】
【技術分野】
【０００１】
本考案は、食用製品の容器の運搬手段を人に提供することを目的としている容器保持具に関し、当該容器の保持および運搬には、両手の介在を一般的に必要とする。
【０００２】
本考案の容器保持具は、固形の食品（例えば、ポップコーン、ポテトチップスなど）の入っている容器および飲料の入っている容器を、人が安全かつ快適に片手で運び得るように、特に作られている。
【背景技術】
【０００３】
多くのよくある状況において、消費者によって手で運ばれる、それぞれが対応する容器に入れられている特定の食品および／または飲料を、特定のショーまたは施設への出席者が、ショーの行われる構内に入るときに入手することは、頻繁にある。
【０００４】
これらの製品が、それらを求めた販売場所または施設から持ち出される場合、消費者は、容器の運搬のために両手を用いなければならず、他の活動を行わねばならないときに起こり得る当然の不都合をともなう。
【０００５】
説明されている状況は、例えば上映中に口にするための飲料およびポップコーンの入手が一般的な映画館において、起こる。これらの映写室の入口にはたいてい、適切な容器に入れられている、通常と異なる形態におけるこれらの製品を、販売する店がある。
【０００６】
提供されている清涼飲料は、種々の大きさの、プラスチック被覆された紙の容器または類似の容器に詰められており、固形の食品（例えばポップコーン）も同様である。当該容器は、手に持ったそれぞれの容器が映写室内に一般的に運ばれ、映画館の職員にとって相当な清掃作業を意味する容器の落下のおそれに加えて、両手を塞がれたユーザに不快さを起こさせる。
【０００７】
この問題を避けるために、購入された製品の入っている容器または包装物は、容器の安定性を実現し難い、固い平らなトレイにおいて運ばれ得る。
【０００８】
同じ目的のために、食料品および飲み物がそれに入れて販売されている容器の形状に適合された形態を有しているトレイが、知られている。これらのトレイは、固い性質であり、相対的に高価であり、そのため、それらは、継続的な使用のために回収可能なトレイでありがちである。
【考案の概要】
【０００９】
本考案の目的は、少なくとも２つの満たされている容器（例えば、固形の食品を収納している一方、および飲料を収納している他方）の、購入の地点から消費される場所までの運搬を、まったく安全な方法において可能にするという理由において、提示されている問題を解決するように構成されている容器保持具である。
【００１０】
本考案の他の目的は、上記容器保持具が使い捨て品であり、したがって返却可能な製品によって引き起こされる問題のすべてを解消するので、簡単な構成および低価格の容器保持具を提供することである。
【００１１】
本考案のさらなる別の目的は、上記容器保持具における上記容器の配置を容易にする支持をもたらすことである。
【００１２】
本考案によれば、上記容器保持具は、中央部、および当該中央部と直角をなす２つの側方部を有している「Ｔ」型の型板からなっている。
【００１３】
上記中央部は、中間領域および２つの等しい外部片の境界を定めている２つの縦の折り線を与えている。その輪郭が運搬される容器と一致する２つの開口は、上記中央部位に作られている。上記端部は、中間部位より幅が小さい。
【００１４】
上記側方部は、上記中央部から反対の方向に直角をなして突出しており、上記中間部位における開口の一方と一列に並べられており、好ましくは、より重い内容物を有している上記容器を受け入れることを目的としている上記開口と一列に並べられている。これらの部分は、上記中央部からの同じ距離に配置されている２つの等しい窓を、それらの端部付近に有している。
【００１５】
上記中央部位における複数の上記開口は、多角形の輪郭（例えば四角の輪郭）の、固形の食品（例えばポップコーン）を収納している容器、および円形の輪郭を有しているグラス形状における、飲料の入っている容器を運ぶための、四角の輪郭を有している一方、および略円形の輪郭を有している他方であり得る。
【００１６】
本考案の容器保持具を用いれば、上記型板の上記中間部位における対応する上記開口に通して容器を差し込んだ後、複数の側腕は、組立品の取っ手として機能するための組合せ位置におけるそれらの窓をともなって、それらの部分が、それらの端部においてくっ付けられるまで、上記容器の開口基部すなわち口がある側に向かって、当該側腕を上記中間部位から分けている折り線から、折り畳まれる。
【００１７】
上記容器保持具の複数の上記開口への上記容器の配置を容易にするために、上記容器保持具を作り上げている上記型板の上記中央部位と同じ輪郭を有している矩形の枠台からなる配置支持体が用いられ得る。縦の凸部は、上記枠台の複数の表面のうちの１つを通って当該枠台のより短い側面の１つから突き出している。
【００１８】
上記型板は、上記枠台の上記縦の凸部によって上記中央部の横断する縁部を支持すること、それから、その窓が組立品の運搬のための取ってとして機能する羽根部を折り畳むことによって、上記容器保持具における上記容器の配置のための上記支持体に対して、当該枠台の上に上記中央部をともなって、平らに配置されており、したがって、複数の上記開口は、運ばれる複数の容器を受け入れるための位置において、上記枠台によって画定されている輪郭の全体を覆っている。
【図面の簡単な説明】
【００１９】
添付の図面は、本考案にしたがって構成されている容器保持具を、非制限的な例として示している。
【図１】図１は、容器保持具が形成される型板の図である。
【図２】図２は、収納されている容器を有している上記容器保持具の斜視図である。
【図３】図３は、配置物支持体の上に位置付けられている図１における上記型板の斜視図である。
【図４】図４は、上記配置物支持体に係はめ込まれている上記型板の斜視図である。
【本考案を実施するための形態の詳細な説明】
【００２０】
図１は、本考案の上記容器保持具が形成されている型板の展開図を示している。
【００２１】
この型板は、中央部（１）および２つの等しい側方部（２および３）を有している「Ｔ」型の輪郭を有している。２つの等しい側方部（２および３）は、中央部（１）に対して直角をなして反対の方向に突出している。
【００２２】
中央部（１）は、中間部位（５）および２つの端部片（６）の境界を定めている２つの縦折り線（４）を有している。
【００２３】
折り線（４）と一致して配置されている、開口（７）の対向する２つの縁部（９）を有している描写されている例において、中間部位（５）に沿って２つの開口（７および８）が作られており、第１の開口は四角の輪郭を有しており、第２の開口は円形の輪郭を有している。
【００２４】
側方部（２）は、中央部（１）から同じ距離に配置されている２つの等しい窓（１０）を、それらの端部付近に有している。
【００２５】
好ましくは、側方部（３）は、飲料の入っているグラスである容器を受け入れることを目的として、円形の輪郭を有している開口（８）と一列に並べられ、開口（７）は、重くない食用の固形の製品（例えばポップコーン）を有している容器を受け入れる。
【００２６】
図２は、開口（８）に収納されているグラス（１１）および開口（７）に置かれている四角の輪郭を有している容器（１２）を示している。部分（２および３）は、（ｉ）折り線（４）から始まって、（ｉｉ）容器（１１および１２）の口が位置付けられている側に向って、（ｉｉｉ）それらの端部が、組立品にとっての取っ手として機能するために組み合わさる窓（１０）をともなって隣接するまで、折り曲げられている。
【００２７】
上記容器保持具における容器（１１および１２）の配置は、より短い側に沿った縦の凸部（１４）を有している、矩形の輪郭の枠台の形状における（図３）支持体（１３）の使用によって容易にされている。また、この支持体は、厚紙の型板から形成され得るか、または耐久性のある固い性質であり得る。
【００２８】
図３および４に示されているように、上記容器保持具の型板（１５）は、開口（７および８）が、縦の凸部（１４）に置かれている中央部（１）の横断する自由縁部をともなって、上記枠台によって境界を決められている輪郭の上にあるように、中心の位置に中間部位（５）を有して、枠台（１３）の上に置かれている。
【００２９】
それから、容器（１１および１２）が、対応している開口（７および８）に置かれ、側方部（２および３）は、運搬のための準備ができている図２における位置まで、上方に折り曲げられる。
【図１】
0003205909.tif 000003
【図２】
0003205909.tif 000004
【図３】
0003205909.tif 000005
【図４】
0003205909.tif 000006